(57)【特許請求の範囲】
【請求項１】
直流電力を発電する発電装置と、
前記発電装置からの前記直流電力を交流電力に変換し、交流の系統電源の複数相に対応する複数の電線が接続された各出力側端子から前記各電線に出力するインバータと、
前記電線に設けられたリアクトルと、
前記リアクトルと前記系統電源との間にて前記各電線のうち２つの電線を接続する接続電線にそれぞれ設けられたコンデンサと、
前記各電線にそれぞれ設けられる開閉器であって、前記接続電線との接続点と前記インバータとの間に配設されている常開型の開閉器と、
前記２つの電線、前記接続電線、前記リアクトル、前記コンデンサおよび前記開閉器から構成され、前記インバータから電圧の印可が可能であるループ状の回路と、
前記開閉器の開閉を制御する制御装置と、を備えた分散型電源の系統連系装置であって、
前記制御装置は、前記ループ状の回路に設けられた前記各開閉器のうち、接点が溶着しているか否かの判定を行なう判定対象である一の前記開閉器に開指示をし、他の前記開閉器に閉指示をするとともに、前記ループ状の回路に前記インバータから前記電圧の印加をするとき、前記ループ状の回路に電流が流れた場合には、前記一の開閉器の接点は溶着していると判定する溶着判定部を備えている分散型電源の系統連系装置。
【請求項２】
前記制御装置は、前記ループ状の回路に電流が流れた否かを判定するループ電流判定部を備えており、
前記ループ電流判定部は、前記ループ状の回路上に配設された電流センサ、および前記インバータに入力される直流電圧を検出する電圧センサのうち少なくともいずれか一の検出結果から、前記ループ状の回路に電流が流れたか否かを判定する請求項１記載の分散型電源の系統連系装置。
【請求項３】
前記開閉器は、前記リアクトルと前記接続点との間に設けられている請求項１または請求項２記載の分散型電源の系統連系装置。
【請求項４】
前記制御装置は、前記系統電源の電圧の位相に応じて電圧パルスのデューティを変化させて、前記ループ状の回路に電圧の印加をする請求項１乃至請求項３の何れか一項記載の分散型電源の系統連系装置。
【請求項５】
前記分散型電源の系統連系装置は、前記発電装置からの前記直流電力を昇圧して前記インバータに出力するコンバータをさらに備え、
前記制御装置は、前記ループ状の回路に電流が流れた否かを判定するループ電流判定部を備えており、
前記ループ電流判定部は、前記インバータに入力される直流電圧を検出する電圧センサの検出結果から、前記ループ状の回路に電流が流れたか否かを判定し、
前記溶着判定部は、前記コンバータの起動開始後、前記直流電圧が所定電圧以上となった場合に、前記一の開閉器の接点は溶着していると判定する請求項１記載の分散型電源の系統連系装置。
【発明の詳細な説明】
【技術分野】
【０００１】
本発明は、分散型電源の系統連系装置に関する。
【背景技術】
【０００２】
分散型電源の系統連系装置の一形式として、特許文献１に示されているものが知られている。特許文献１の図１に示されているように、系統連系装置は、直流電力を発電する発電装置（太陽電池１）と、発電装置からの直流電力を交流電力に変換し、交流の系統電源３０の複数相に対応する複数の電線が接続された各出力側端子から各電線に出力するインバータ５と、各電線にそれぞれ設けられたリアクトル６１，６２と、リアクトル６１，６２と系統電源３０との間にて各電線のうち２つの電線を接続する接続電線にそれぞれ設けられたコンデンサ６３と、各電線にそれぞれ設けられる開閉器であって、接続電線との接続点とインバータ５との間に配設されている常開型の開閉器７１，７２と、２つの電線、接続電線、リアクトル６１，６２、コンデンサ６３および開閉器７１，７２から構成されたループ状の回路と、開閉器７１，７２の開閉を制御する制御装置８と、を備えている。さらに、系統連系装置は、開閉器７１，７２の接点状態を判別するための第一電位差検出回路９Ａおよび第二電位差検出回路９Ｂを備えている。
【先行技術文献】
【特許文献】
【０００３】
【特許文献１】特開２０１１−１３５７６７号公報
【発明の概要】
【発明が解決しようとする課題】
【０００４】
上述した特許文献１に記載されている分散型電源の系統連系装置においては、開閉器７１，７２の接点が溶着しているかの溶着判定を個別に行なうことができるものの、溶着判定をするための第一電位差検出回路９Ａおよび第二電位差検出回路９Ｂを余分に設けるため、コストアップとなるという問題があった。
【０００５】
本発明は、上述した問題を解消するためになされたもので、分散型電源の系統連系装置において、コストアップを招くことなく、開閉器の溶着判定を個別に行なうことを目的とする。
【課題を解決するための手段】
【０００６】
上記の課題を解決するため、請求項１に係る分散型電源の系統連系装置の発明は、直流電力を発電する発電装置と、発電装置からの直流電力を交流電力に変換し、交流の系統電源の複数相に対応する複数の電線が接続された各出力側端子から各電線に出力するインバータと、電線に設けられたリアクトルと、リアクトルと系統電源との間にて各電線のうち２つの電線を接続する接続電線にそれぞれ設けられたコンデンサと、各電線にそれぞれ設けられる開閉器であって、接続電線との接続点とインバータとの間に配設されている常開型の開閉器と、２つの電線、接続電線、リアクトル、コンデンサおよび開閉器から構成され、インバータから電圧の印可が可能であるループ状の回路と、開閉器の開閉を制御する制御装置と、を備えた分散型電源の系統連系装置であって、制御装置は、ループ状の回路に設けられた各開閉器のうち、接点が溶着しているか否かの判定を行なう判定対象である一の開閉器に開指示をし、他の開閉器に閉指示をするとともに、ループ状の回路にインバータから電圧の印加をするとき、ループ状の回路に電流が流れた場合には、一の開閉器の接点は溶着していると判定する溶着判定部を備えている。
【０００７】
これによれば、インバータと系統電源との間の各電線に設けられる常開型の開閉器は、電線と接続電線との接続点とインバータとの間、すなわちコンバータとインバータとの間に配設される。さらに、複数の常開型の開閉器は、ループ状の回路上に配設される。このように構成した結果、例えば、ループ状の回路に設けられた各開閉器のうち一の開閉器が溶着し、かつ他の開閉器が溶着していない場合には、一の開閉器に開指示をし、他の開閉器に閉指示をするとともに、ループ状の回路に電圧の印加をすると、ループ状の回路に電流が流れる。よって、制御装置（溶着判定部）は、既存の構成要素を使用して、一の開閉器の接点は溶着していると判定することができる。したがって、分散型電源の系統連系装置において、コストアップを招くことなく、開閉器の溶着判定を個別に行なうことが可能となる。
【０００８】
また請求項２に係る発明は、請求項１に係る分散型電源の系統連系装置において、制御装置は、ループ状の回路に電流が流れた否かを判定するループ電流判定部を備えており、ループ電流判定部は、ループ状の回路上に配設された電流センサ、およびインバータに入力される直流電圧を検出する電圧センサのうち少なくともいずれか一の検出結果から、ループ状の回路に電流が流れたか否かを判定する。
これによれば、制御装置（ループ電流判定部）は、既存の構成要素を使用して、ループ状の回路に電流が流れたか否かを確実に判定し、ひいては、開閉器の溶着判定を確実にすることができる。
【０００９】
また請求項３に係る発明は、請求項１または請求項２に係る分散型電源の系統連系装置において、開閉器は、リアクトルと接続点との間に設けられている。
これによれば、リアクトルから系統電源側の電圧は、インバータ側の電圧より低いので、開閉器の耐電圧を小さくすることができる。
【００１０】
また請求項４に係る発明は、請求項１乃至請求項３の何れか一項に係る分散型電源の系統連系装置において、制御装置は、系統電源電圧の位相に応じて電圧パルスのデューティを変化させて、ループ状の回路に電圧の印加をする。
これによれば、ループ状の回路への電圧印加が系統電源電圧の位相に応じて電圧パルスのデューティを変化させるので、位相ずれによる電流の変化を抑制して過電流を抑制することで、ループ状の回路に電流が流れたか否かを確実に判定することができる。
【００１１】
また請求項５に係る発明は、請求項１に係る分散型電源の系統連系装置において、分散型電源の系統連系装置は、発電装置からの直流電力を昇圧してインバータに出力するコンバータをさらに備え、制御装置は、ループ状の回路に電流が流れた否かを判定するループ電流判定部を備えており、ループ電流判定部は、インバータに入力される直流電圧を検出する電圧センサの検出結果から、ループ状の回路に電流が流れたか否かを判定し、溶着判定部は、コンバータの起動開始後、直流電圧が所定電圧以上となった場合に、一の開閉器の接点は溶着していると判定する。
これによれば、コンバータ起動開始後、直流電圧が所定電圧以上となった場合に、一の開閉器の接点は溶着していると判定するため、コンバータからインバータに入力される直流電圧の検出結果から溶着判定する場合、確実に溶着判定をすることができる。
【図面の簡単な説明】
【００１２】
【図１】本発明による分散型電源の系統連系装置の一実施形態の概要を示す概要図である。
【図２】図１に示す制御装置で実行される制御プログラム（メインプログラム）のフローチャートである。
【図３】図１に示す制御装置で実行される制御プログラム（開閉器の溶着判定サブルーチン）のフローチャートである。
【図４】図１に示す開閉器（解列リレー）の溶着している状態でのインバータ出力電流および中間直流電圧を示す図である。第一段に系統電源の電圧を示し、第二段に第一および第四スイッチング素子のオン・オフ状態を示し、第３段にインバータ出力電流を示し、第四段に中間直流電圧を示す。
【図５】図１に示す制御装置で実行される制御プログラム（開閉器の溶着判定サブルーチン）の変形例のフローチャートである。
【発明を実施するための形態】
【００１３】
以下、本発明による分散型電源の系統連系装置の一実施形態について説明する。図１に示すように、系統連系装置１０は、発電装置である燃料電池１１と交流の系統電源２０とを連系したり解列したりする装置である。系統連系装置１０は、発電装置である燃料電池１１、コンバータ１２、インバータ１３、平滑回路１４、解列リレー１５および制御装置１６を備えている。
【００１４】
燃料電池１１は、直流電力を発電する発電装置である。発電装置は、燃料電池１１以外の直流電力を発電する発電装置（例えば、太陽光電池、ガスエンジンなど）でもよい。
コンバータ１２は、燃料電池１１からの直流電力を昇圧してインバータ１３に出力する。コンバータ１２は、図示しないリアクトル、ＩＧＢＴ（絶縁ゲートバイポーラトランジスタ）のようなスイッチング素子、ダイオード、コンデンサなどにより構成されている。コンバータ１２の入力側端子１２ａは、燃料電池１１の正極側に接続され、コンバータ１２の入力側端子１２ｂは、燃料電池１１の負極側に接続されている。
【００１５】
コンバータ１２の出力側端子１２ｃは、電線１７を介してインバータ１３の入力側端子１３ａに接続されている。コンバータ１２の出力側端子１２ｄは、電線１８を介してインバータ１３の入力側端子１３ｂに接続されている。電線１７と電線１８との間には、コンバータ１２の出力電圧（直流電圧）を測定する電圧センサ３１が設けられている。電圧センサ３１の検出信号が制御装置１６に入力されており、制御装置１６は、演算処理を行って決定したデューティ比のパルス信号をスイッチング素子のゲートに与えることにより、コンバータ１２の出力電圧が所定の電圧になるフィードバック制御を行っている。
電線１７と電線１８との間には、コンデンサ１９が設けられている。
【００１６】
インバータ１３は、コンバータ１２すなわち燃料電池１１からの直流電力を交流電力に変換して、系統電源２０側に出力する。インバータ１３は、入力側端子１３ａ，１３ｂおよび出力側端子１３ｃ，１３ｄを備えている。インバータ１３の出力側端子１３ｃは、系統電源２０（例えば、Ｕ相）が接続された電線２１に接続されている。インバータ１３の出力側端子１３ｄは、系統電源２０（例えば、Ｖ相）が接続された電線２２に接続されている。各出力側端子１３ｃ，１３ｄは、系統電源２０の複数相に対応する複数の電線２１，２２がそれぞれ接続されている。
【００１７】
インバータ１３は、ＩＧＢＴのような第一〜第四スイッチング素子１３ｅ〜１３ｈをフルブリッジ接続して構成される。第一および第二スイッチング素子１３ｅ，１３ｆは、入力側端子１３ａと入力側端子１３ｂとの間に直列に接続されている。第一スイッチング素子１３ｅと第二スイッチング素子１３ｆとの接続点は、出力側端子１３ｃに接続されている。第三および第四スイッチング素子１３ｇ，１３ｈは、入力側端子１３ａと入力側端子１３ｂとの間に直列に接続されている。第三および第四スイッチング素子１３ｇ，１３ｈは、第一および第二スイッチング素子１３ｅ，１３ｆに対して並列に接続されている。第三スイッチング素子１３ｇと第四スイッチング素子１３ｈとの接続点は、出力側端子１３ｄに接続されている。
【００１８】
インバータ１３は、制御装置１６によってその動作が制御されている。具体的には、インバータ１３は、制御装置１６からのＰＷＭ制御にしたがって各第一〜第四スイッチング素子１３ｅ〜１３ｈをスイッチングして、コンバータ１２からの直流電力を交流電力に変換するものである。このように、インバータ１３は、変換した交流電力を電線２１，２２に出力する。
【００１９】
平滑回路１４は、リアクトル１４ａ，１４ｂとコンデンサ１４ｃとによって構成されている。リアクトル１４ａ，１４ｂは、各電線２１，２２にそれぞれ設けられている。なお、リアクトル１４ａ，１４ｂは、各電線２１，２２のどちらか一方のみに設けるようにしてもよい。すなわち、リアクトル１４ａ（または１４ｂ）は、後述するループ状の回路Ａを構成する複数の電線のうち少なくとも何れか一に設けられていればよい。コンデンサ１４ｃは、リアクトル１４ａ，１４ｂと系統電源２０との間にて各電線２１，２２のうち２つの電線を接続する接続電線２３に設けられている。平滑回路１４は、インバータ１３から出力された交流電力の高周波成分を取り除いて、インバータ１３の出力電流を正弦波状の波形にし、系統電源２０に出力する。
【００２０】
解列リレー（系統連系用リレー）１５は、第一解列リレー１５ａおよび第二解列リレー１５ｂによって構成されている。解列リレー１５は、各電線２１，２２にそれぞれ設けられる開閉器であって、接続電線２３との接続点とインバータ１３との間に配設されている常開型の開閉器である。第一解列リレー１５ａは、接続電線２３との接続点とリアクトル１４ａとの間に配設されている。第二解列リレー１５ｂは、接続電線２３との接続点とリアクトル１４ｂとの間に配設されている。第一解列リレー１５ａおよび第二解列リレー１５ｂはそれぞれ制御装置１６からの制御信号によってその動作（接続状態／開放状態）が制御されている。
【００２１】
具体的には、複数の電線２１，２２のうち一方の電線２１に第一解列リレー１５ａが配置され、他方の電線２２に第二解列リレー１５ｂが配置されている。第一解列リレー１５ａおよび第二解列リレー１５ｂが接続状態になると、系統連系装置１０と系統電源２０は連系され、第一解列リレー１５ａおよび第二解列リレー１５ｂが開放状態になると、系統連系装置１０と系統電源２０は解列されることになる。このように、解列リレー１５が制御装置１６によって制御されることで、系統連系装置１０と系統電源２０は連系または解列され、電力供給が制御されている。
【００２２】
ループ状の回路Ａは、２つの電線２１，２２、接続電線２３、リアクトル１４ａ，１４ｂ、コンデンサ１４ｃ、第一解列リレー１５ａおよび第二解列リレー１５ｂから構成されている。詳細には、ループ状の回路Ａは、電線２１のうちインバータ１３の出力側端子１３ｃから接続電線２３との接続点とまでの部分と、接続電線２３と、電線２２のうちインバータ１３の出力側端子１３ｄから接続電線２３との接続点とまでの部分とから、ループ状に構成されている。
【００２３】
ループ状の回路Ａには、回路Ａを流れる電流を検出する電流センサ３２（例えば、カレントトランス式、シャント式である）が設けられている。電流センサ３２の検出信号が制御装置１６に入力されている。また、電線２１，２２には、系統電圧を検出する系統電圧検出回路３３が接続されている。系統電圧検出回路３３の検出信号が制御装置１６に入力されている。
【００２４】
制御装置１６は、解列リレー１５の開閉を少なくとも制御する。制御装置１６は、マイクロコンピュータ（図示省略）を有しており、マイクロコンピュータは、バスを介してそれぞれ接続された入出力インターフェース、ＣＰＵ、ＲＡＭおよびＲＯＭ（いずれも図示省略）を備えている。ＣＰＵは、各種プログラムを実行して、電圧センサ３１、電流センサ３２、系統電圧検出回路３３の検出結果を取得したり、コンバータ１２、インバータ１３を制御したり、解列リレー１５を開閉制御したりする。ＲＡＭは同プログラムの実行に必要な変数を一時的に記憶するものであり、ＲＯＭは前記プログラムを記憶するものである。
【００２５】
次に、上述したように構成された分散型電源の系統連系装置の開閉器の溶着判定について図２，３に示すフローチャートに沿って説明する。制御装置１６は、そのフローチャートに沿ったプログラムを所定時間（短時間でも、長時間でもよい）毎に繰り返し実行する。本溶着判定は、燃料電池１１の発電運転（起動運転が完了した後）が開始される前に実施される。すなわち、系統電源２０と連系（通常時の連系）される前に行なわれるのが望ましい。この通常時の連系は、溶着判定時における解列リレー１５のオンを含まない。
【００２６】
制御装置１６は、ステップＳ１０２において、コンバータ１２の起動を開始する。このとき、燃料電池１１は、起動運転が完了しており、発電可能である。コンバータ１２が起動されると、燃料電池１１からの直流電力がコンバータ１２にて昇圧されてインバータ１３に出力される。コンバータ１２から出力された直流電圧が、中間直流電圧である。中間直流電圧は、系統電圧の最大値を超える値に制御する。
【００２７】
制御装置１６は、ステップＳ１０４において、中間直流電圧を電圧センサ３１により検出する。制御装置１６は、測定した中間直流電圧が系統電圧の最大値を超える所定電圧以上であれば、プログラムをステップＳ１０６に進め、解列リレー１５の溶着有無の判定を行い。制御装置１６は、測定した中間直流電圧が前記の所定電圧未満である場合には、解列リレー１５の溶着有無の判定を行なわない。
【００２８】
制御装置１６は、ステップＳ１０６において、解列リレー１５の溶着を判定する。具体的には、制御装置１６は、図３に示す溶着判定サブルーチンを実施する。なお、インバータ１３の出力（通常時の出力）は停止されている。制御装置１６は、ステップＳ２０２において、第一解列リレー１５ａに開指示をするとともに、第二解列リレー１５ｂに閉指示をする。
【００２９】
制御装置１６は、ステップＳ２０４において、ループ状の回路Ａに電圧を印加する。すなわち、制御装置１６は、インバータ１３を制御して、系統電源２０の電圧の位相（電圧値を含めてもよい）に応じてパルス状の電圧（電圧パルス。単発波形でもよいし、複数波形でもよい）を印加する。具体的には、制御装置１６は、最初の所定時間（例えば、電圧パルスの１／２周期に相当する時間（数十μ秒））において、第一および第四スイッチング素子１３ｅ，１３ｈを同時にオンするとともに、第二および第三スイッチング素子１３ｆ，１３ｇを同時にオフし、次の所定時間において、第一〜第四スイッチング素子１３ｅ〜１３ｈを同時にオフするように制御する。これにより、インバータ１３から単発波形状の電圧が印加される。なお、複数波形の電圧を印加するためには、前述したスイッチング素子の制御を繰り返し実行すればよい。また、制御装置１６は、第二および第三スイッチング素子１３ｆ，１３ｇを同時にオンするとともに、第一および第四スイッチング素子１３ｅ，１３ｈを同時にオフするようにしてもよい。
【００３０】
なお、解列リレー１５が溶着している状態で電圧が印加されたときに、ループ状の回路Ａに流れる電流は、系統電源２０の電圧（系統電圧）とインバータ１３の入力電圧との電圧差およびリアクトル１４ａ，１４ｂのインダクタンスによって決まる。したがって、電圧を印加するタイミングの系統電圧の位相と印加する電圧パルス幅によって流れる電流が変化するため、過電流とならない位相と電圧パルス幅となるように、インバータ１３側から電圧が印加されなければならない。
【００３１】
制御装置１６は、ループ状の回路Ａに電流が流れた場合には、ループ状の回路Ａに設けられた各解列リレー１５のうち、接点が溶着しているか否かの判定を行なう判定対象である一の解列リレー（判定対象解列リレー）の接点は溶着していると判定する（ステップＳ２０８）。一方、制御装置１６は、ループ状の回路Ａに電流が流れない場合には、判定対象解列リレーの接点は溶着していないと判定する（ステップＳ２１０）。
【００３２】
具体的には、制御装置１６は、ステップＳ２０６において、電流センサ３２から取得した電流値が電流閾値以上である場合、電流センサ３２によって電流を検出した、すなわちループ状の回路Ａに電流が流れたと判定する。制御装置１６は、ステップＳ２０６において、ループ状の回路Ａに電流が流れたか否かを判定する。なお、電流閾値は、電流センサ３２の分解能以上の値に設定されるのが好ましい。さらに電流閾値は、解列リレー１５が溶着している状態で電圧が印加されたときに、系統電源２０の電圧（系統電圧）とインバータ１３からの入力電圧との電圧差およびリアクトル１４ａ（または１４ｂ）のインダクタンスによって設定されるのが好ましい。
【００３３】
ループ状の回路Ａに電流が流れた場合には、制御装置１６は、ステップＳ２０６にて「ＹＥＳ」と判定し、第一解列リレー１５ａの接点は溶着していると判定する（ステップＳ２０８）。一方、ループ状の回路Ａに電流が流れない場合には、制御装置１６は、ステップＳ２０６にて「ＮＯ」と判定し、第一解列リレー１５ａの接点は溶着していないと判定する（ステップＳ２１０）。
【００３４】
前述したように溶着判定できる理由について図４を参照して説明する。第一および第二解列リレー１５ａ，１５ｂのいずれか一方がオフ（開状態）である場合に、インバータ１３からパルス状の電圧が印加された場合、ループ状の回路Ａには電流は流れない。よって、インバータ出力電流は０Ａであり、中間直流電圧は溶着判定前から変化せず所定の第一中間直流電圧である。
【００３５】
一方、第一および第二解列リレー１５ａ，１５ｂの両方がオン（閉状態）である場合に、インバータ１３からパルス状の電圧が印加された場合、ループ状の回路Ａには電流が流れる。よって、インバータ出力電流は、コンデンサ１４ｃの作用により徐々に増大して電流閾値より大きくなる。同時に、中間直流電圧も徐々に増大して電圧閾値（第一中間直流電圧より大きい値）より大きくなる。
【００３６】
さらに、第一および第二解列リレー１５ａ，１５ｂの両方の接点が溶着していない場合、第一解列リレー１５ａに開指示がなされるとともに、第二解列リレー１５ｂに閉指示がなされると、第一解列リレー１５ａがオフ（開状態）となるとともに、第二解列リレー１５ｂがオン（閉状態）となる。これは、第一および第二解列リレー１５ａ，１５ｂのいずれか一方がオフ（開状態）である場合に相当する。この状態にて、インバータ１３からパルス状の電圧が印加された場合、ループ状の回路Ａには電流は流れない。よって、インバータ出力電流は０Ａであり、中間直流電圧は所定の第一中間直流電圧である。
【００３７】
一方、第一解列リレー１５ａの接点が溶着している場合には、第一解列リレー１５ａに開指示がなされても、第一解列リレー１５ａはオン（閉状態）である。第二解列リレー１５ｂは、接点が溶着していない場合にはオンとなり、接点が溶着している場合にはオンのままである。いずれにしても、第二解列リレー１５ｂはオン（閉状態）である。これは、第一および第二解列リレー１５ａ，１５ｂの両方がオン（閉状態）である場合に相当する。この状態にて、インバータ１３からパルス状の電圧が印加された場合、ループ状の回路Ａには電流は流れる。よって、インバータ出力電流は電流閾値より大きくなり、中間直流電圧は電圧閾値より大きくなる。
【００３８】
さらに制御装置１６は、上述した第一解列リレー１５ａと同様に、ステップＳ２１２−２２０において第二解列リレー１５ｂの溶着判定を行う。具体的には、制御装置１６は、ステップＳ２１２において、第二解列リレー１５ｂに開指示をするとともに、第一解列リレー１５ａに閉指示をする。制御装置１６は、ステップＳ２０４において、ループ状の回路Ａに電圧を印加する。制御装置１６は、ステップＳ２１６において、ループ状の回路Ａに電流が流れたか否かを判定する。制御装置１６は、ループ状の回路Ａに電流が流れた場合には、判定対象解列リレーである第二解列リレー１５ｂの接点は溶着していると判定する（ステップＳ２１８）。一方、制御装置１６は、ループ状の回路Ａに電流が流れない場合には、第二解列リレー１５ｂの接点は溶着していないと判定する（ステップＳ２２０）。
【００３９】
上述した実施形態から明らかなように、分散型電源の系統連系装置１０は、直流電力を発電する燃料電池１１（発電装置）と、燃料電池１１からの直流電力を交流電力に変換し、交流の系統電源２０の複数相に対応する複数の電線２１，２２が接続された各出力側端子１３ｃ，１３ｄから各電線２１，２２に出力するインバータ１３と、各電線２１，２２に設けられたリアクトル１４ａ，１４ｂと、リアクトル１４ａ，１４ｂと系統電源２０との間にて２つの電線２１，２２を接続する接続電線２３にそれぞれ設けられたコンデンサ１４ｃと、各電線２１，２２にそれぞれ設けられる開閉器であって、接続電線２３との接続点とインバータ１３との間に配設されている常開型の解列リレー１５ａ，１５ｂ（開閉器）と、２つの電線２１，２２、接続電線２３、リアクトル１４ａ，１４ｂ、コンデンサ１４ｃおよび解列リレー１５ａ，１５ｂから構成されたループ状の回路Ａと、解列リレー１５ａ，１５ｂの開閉を制御する制御装置１６と、を備えている。制御装置１６は、ループ状の回路Ａに設けられた各解列リレー１５ａ，１５ｂのうち、接点が溶着しているか否かの判定を行なう判定対象である一の開閉器（例えば、第一解列リレー１５ａ（または第二解列リレー１５ｂ））に開指示をし、他の開閉器（例えば、第二解列リレー１５ｂ（または第一解列リレー１５ａ））に閉指示をするとともに、ループ状の回路Ａに電圧の印加をするとき、ループ状の回路Ａに電流が流れた場合には、一の開閉器（例えば、第一解列リレー１５ａ（または第二解列リレー１５ｂ））の接点は溶着していると判定する溶着判定部（ステップＳ１０６）を備えている。
【００４０】
これによれば、インバータ１３と系統電源２０との間の各電線２１，２２に設けられる常開型の解列リレー１５ａ，１５ｂは、電線２１，２２と接続電線２３との接続点とインバータ１３との間、すなわちコンバータ１２とインバータ１３との間に配設される。さらに、複数の常開型の解列リレー１５ａ，１５ｂは、ループ状の回路Ａ上に配設される。このように構成した結果、例えば、ループ状の回路Ａに設けられた各解列リレー１５ａ，１５ｂのうち一の開閉器（例えば、第一解列リレー１５ａ（または第二解列リレー１５ｂ））が溶着し、かつ他の開閉器（例えば、第二解列リレー１５ｂ（または第一解列リレー１５ａ））が溶着していない場合には、一の開閉器（例えば、第一解列リレー１５ａ（または第二解列リレー１５ｂ））に開指示をし、他の開閉器（例えば、第二解列リレー１５ｂ（または第一解列リレー１５ａ））に閉指示をするとともに、ループ状の回路Ａに電圧の印加をすると、ループ状の回路Ａに電流が流れる。よって、制御装置１６（溶着判定部）は、既存の構成要素を使用して、一の開閉器（例えば、第一解列リレー１５ａ（または第二解列リレー１５ｂ））の接点は溶着していると判定することができる。したがって、分散型電源の系統連系装置１０において、コストアップを招くことなく、解列リレー１５ａ，１５ｂの溶着判定を個別に行なうことが可能となる。
【００４１】
また、制御装置１６は、ループ状の回路Ａに電流が流れた否かを判定するループ電流判定部（ステップＳ２０６，２１６，３０２，３０４）を備えており、ループ電流判定部は、ループ状の回路Ａ上に配設された電流センサ３２、およびインバータ１３に入力される直流電圧を検出する電圧センサ３１のうち少なくともいずれか一の検出結果から、ループ状の回路Ａに電流が流れたか否かを判定する。
これによれば、制御装置１６（ループ電流判定部）は、既存の構成要素を使用して、ループ状の回路Ａに電流が流れたか否かを確実に判定し、ひいては、解列リレー１５ａ，１５ｂの溶着判定を確実にすることができる。
【００４２】
また、解列リレー１５ａ，１５ｂは、リアクトル１４ａ，１４ｂと接続点との間に設けられている。
これによれば、リアクトル１４ａ，１４ｂから系統電源２０側の電圧は、インバータ１３側の電圧より低いので、解列リレー１５ａ，１５ｂの耐電圧を小さくすることができる。
【００４３】
また、制御装置１６は、系統電源２０の電圧の位相（および／または電圧値）に応じて電圧パルスのデューティを変化させて、ループ状の回路Ａに電圧の印加をする。
これによれば、系統電源２０の電圧の位相（および／または電圧値）に応じて電圧パルスのデューティを変化させて、ループ状の回路Ａへの電圧印加がされるので、位相ずれによる電流の変化を抑制して過電流を抑制することで、ループ状の回路Ａに電流が流れたか否かを確実に判定することができる。
【００４４】
また、分散型電源の系統連系装置１０は、燃料電池１１からの直流電力を昇圧してインバータ１３に出力するコンバータ１２をさらに備え、制御装置１６は、ループ状の回路Ａに電流が流れた否かを判定するループ電流判定部（ステップＳ１０４）を備えており、ループ電流判定部は、インバータ１３に入力される直流電圧を検出する電圧センサ３１の検出結果から、ループ状の回路Ａに電流が流れたか否かを判定し、溶着判定部（ステップＳ１０６）は、コンバータ１２の起動開始後、直流電圧が所定電圧以上となった場合に、一の解列リレー１５ａ，１５ｂの接点は溶着していると判定する。
これによれば、コンバータ１２起動開始後、直流電圧が所定電圧以上となった場合に、一の開閉器（例えば、第一解列リレー１５ａ（または第二解列リレー１５ｂ））の接点は溶着していると判定するため、コンバータ１２からインバータ１３に入力される直流電圧の検出結果から溶着判定する場合、確実に溶着判定をすることができる。
【００４５】
なお、上述した実施形態においては、ループ状の回路Ａに電流が流れているか否かの判定を、電流センサ３２によって測定された電流値に基づいて行ったが、これに代えて、電圧センサ３１によって測定された電圧値に基づいて行うようにしてもよい。すなわち、制御装置１６は、図５に示すフローチャートに示すように、図３に示すフローチャートのステップＳ２０６，２１６に代えてステップＳ３０２，３０４の処理を行う。具体的には、制御装置１６は、ステップＳ３０２，３０４において、電圧センサ３１から取得した電圧値が電圧閾値以上である場合、電圧センサ３１によって電圧を検出した、すなわちループ状の回路Ａに電流が流れたと判定する。なお、パルス状の電圧を印加する前の中間直流電圧を測定し、その測定した印可前電圧との差が所定差以上であるか否かを判定することにより、ループ状の回路Ａに電流が流れたか否かの判定をするようにしてもよい。また、制御装置１６は、電流センサ３２および電圧センサ３１の両方の測定結果から、ループ状の回路Ａに電流が流れたと判定するようにしてもよい。
【００４６】
また、第一解列リレー１５ａは、接続電線２３との接続点とリアクトル１４ａとの間に配設され、第二解列リレー１５ｂは、接続電線２３との接続点とリアクトル１４ｂとの間に配設されている。これに代えて、解列リレー１５は、接続電線２３との接続点とインバータ１３との間に配設されていれば、リアクトル１４ａ（リアクトル１４ｂ）とインバータ１３との間に配設するようにしてもよい。
【００４７】
また、上述した実施形態においては、単相３線式の回路構成であったが、３相３線式の回路構成にも本発明は適用可能であり、４線式の回路構成にも適用可能である。この場合、リアクトル１４ａ（または１４ｂ）は各電線にそれぞれ設けられている。コンデンサ１４ｃは、前記リアクトルと系統電源２０との間にて前記各電線のうち２つの電線を接続する接続電線にそれぞれ設けられている。解列リレー１５は、前記各電線にそれぞれ設けられている。
【００４８】
また、上述した実施形態においては、溶着判定は、起動運転が完了した後であって発電運転が開始される前に行なわれていたが、起動運転に限らず、系統電源２０が停電した際に復電する際（再起動時）に行なうようにしてもよい。
【符号の説明】
【００４９】
１０…系統連系装置、１１…燃料電池（発電装置）、１２…コンバータ、１３…インバータ、１４…平滑回路、１４ａ，１４ｂ…リアクトル、１４ｃ…コンデンサ、１５…解列リレー（開閉器）、１６…制御装置（溶着判定部、ループ電流判定部）、３３…系統電圧回路、Ａ…ループ状の回路。
【図１】
0006350034.tif 000002
【図２】
0006350034.tif 000003
【図３】
0006350034.tif 000004
【図４】
0006350034.tif 000005
【図５】
0006350034.tif 000006